(57)【要約】【課題】  カーテンエアバッグの展開荷重に耐える強度の確保と、乗員保護のための、室内からの衝撃荷重に対する脆弱性の確保とを両立させた、カーテンエアバッグの展開ガイド部材を提供する。【解決手段】  ジャンプ台２０（展開ガイド部材）は、膨張するカーテンエアバッグ４を車室に向けて案内する傾斜した一対の天板部２１，２１と、これら天板部間の間隙Ｇの下方に位置し、ピラーパネル２に固定されるクリップ座４０と、を一体に有する。クリップ座４０は、ピラーパネル２に対向し、ピラーパネル２に係止されるクリップ６０を支持する支持板部４１と、支持板部４１の車長方向両側から車室に向かって延びる側板部４２，４２と、を有する。天板部２１の車長方向両側の下面には、下方に延びる補強リブ２３，２５が連なる。間隙Ｇ側の補強リブ２５とクリップ座４０の側板部４２との間に溝７０が形成されている。【選択図】  図４
2019123490.tif 000002
【特許請求の範囲】
【請求項１】
膨張するカーテンエアバッグを車室に向けて案内する傾斜した天板部と、この天板部の下方に位置し、車体パネルに固定される固定部と、を一体に有する、カーテンエアバッグの展開ガイド部材において、
上記天板部の下面には、下方に延びる複数の補強リブが連なり、
上記固定部は、車体パネルに対向し、車体パネルに係止される係止部を支持する支持板部と、この支持板部の車長方向両側から車室に向かって延びる側板部と、を有しており、
上記固定部の各側板部と、その上方に配置された上記補強リブとの間には、車長方向から見て溝が形成されていることを特徴とする、カーテンエアバッグの展開ガイド部材。
【請求項２】
上記天板部は、車長方向に離間配置されて一対設けられ、これら一対の天板部間の間隙の下方に上記固定部は位置し、
少なくとも各天板部の車長方向両側に、上記補強リブは設けられ、これら補強リブのうち上記間隙側の補強リブと上記固定部の側板部との間に上記溝が形成されていることを特徴とする請求項１に記載のカーテンエアバッグの展開ガイド部材。
【請求項３】
上記溝が、車幅方向車外側から車室側に向かって凸となるＶ字形をなしていることを特徴とする請求項１又は２に記載のカーテンエアバッグの展開ガイド部材。
【発明の詳細な説明】
【技術分野】
【０００１】
本発明は、カーテンエアバッグの車室内への展開を補助するガイド部材に関する。
【背景技術】
【０００２】
カーテンエアバッグは、車両のルーフサイドに設けられ、車両の側面衝突の際には車室内にカーテン状に膨張展開し、ドアを覆い、乗員を保護している。カーテンエアバッグを車室内に展開させるために、ピラートリム本体の上方にガイド部材としてジャンプ台が設けられている。ジャンプ台は、膨張して押し当てられたカーテンエアバッグを車室側に案内している。ジャンプ台には、カーテンエアバッグの展開荷重に耐える強度が要求される一方、乗員保護のために、室内からの衝撃荷重に対する脆弱性も要求される。
【０００３】
下記特許文献１に開示されたジャンプ台は、膨張するカーテンエアバッグを車室に向けて案内する傾斜板部と、この傾斜板部の上方に位置し、車体パネルに固定される固定板部と、を一体に有する。上記固定板部は、車体パネルに対向しており、車体パネルに係止される係止部材を支持している。
【０００４】
傾斜板部の下面には、溝部が形成され車長方向に延びている。傾斜板部の下方には、上面に車長方向に延びる突起部を有する緩衝材が設けられ、車室側のピラートリム本体に接合されている。ピラートリム本体の上端部には、ルーフトリムの下端部が係合されており、ルーフトリムはジャンプ台及びカーテンエアバッグを覆っている。
【０００５】
特許文献１のジャンプ台について、カーテンエアバッグが展開しない軽度の車両衝突時であって、車室内の乗員がピラートリム本体、ルーフトリム等の内装部材に打ちつけられた場合の衝撃荷重の緩和について説明する。
内装部材に衝撃荷重がかかることにより、その車外側の緩衝材が押し潰されて、その上面が隆起するように変形させられる。また、ジャンプ台の傾斜板部が溝部を起点として、傾斜板部の上面が隆起するように変形させられる。このとき、上面を隆起させた緩衝材の突起部が傾斜板部の溝部に当接して、傾斜板部の変形を促進させている。このように傾斜板部が変形することにより、特許文献１のジャンプ台では、乗員の打ちつけによる衝撃荷重を緩和している。
【先行技術文献】
【特許文献】
【０００６】
【特許文献１】特開２０１１−５９６４号公報（図６、図７）
【発明の概要】
【発明が解決しようとする課題】
【０００７】
特許文献１のジャンプ台では、車室内からの衝撃荷重の緩和のために緩衝材を併用し、この緩衝材を衝撃荷重の緩和だけでなく、傾斜板部の変形の促進にも用いており、部品点数が多くなるとともに構造が複雑になり、製造コストが嵩んでいた。また、傾斜板部の下面に変形の起点となる溝部を形成しているため、膨張するカーテンエアバッグの展開荷重に耐えうる強度を確保するのが難しかった。
【課題を解決するための手段】
【０００８】
本発明は上記課題を解決するためになされたもので、膨張するカーテンエアバッグを車室に向けて案内する傾斜した天板部と、この天板部の下方に位置し、車体パネルに固定される固定部と、を一体に有する、カーテンエアバッグの展開ガイド部材において、上記天板部の下面には、下方に延びる複数の補強リブが連なり、上記固定部は、車体パネルに対向し、車体パネルに係止される係止部を支持する支持板部と、この支持板部の車長方向両側から車室に向かって延びる側板部と、を有しており、上記固定部の各側板部と、その上方に配置された上記補強リブとの間には、車長方向から見て溝が形成されていることを特徴とする。
【０００９】
上記構成によれば、固定部の側板部と、その上方に配置された補強リブとの間に溝が形成されているので、展開ガイド部材の剛性を弱めることができ、車両衝突時に乗員の打ちつけにより展開ガイド部材にかかる衝撃荷重を緩和することができる。したがって、乗員の安全性を高めることができる。
また、天板部の下面に設けられた補強リブは複数であるので、展開ガイド部材はカーテンエアバッグの展開荷重に耐える強度を確保することができる。
さらに、部品点数が少なく構造も簡単であるので、製造コストを低減できる。
【００１０】
好ましくは、上記天板部は、車長方向に離間配置されて一対設けられ、これら一対の天板部間の間隙の下方に上記固定部は位置し、少なくとも各天板部の車長方向両側に、上記補強リブは設けられ、これら補強リブのうち上記間隙側の補強リブと上記固定部の側板部との間に上記溝が形成されている。
【００１１】
好ましくは、上記溝が、車幅方向車外側から車室側に向かって凸となるＶ字形をなしている。
上記構成によれば、展開ガイド部材に車室側から車外側に衝撃荷重がかかった際に、Ｖ字形の溝を起点に展開ガイド部材が上下に変形又は破損することにより、衝撃荷重を緩和することができる。
【発明の効果】
【００１２】
本発明によれば、カーテンエアバッグの展開荷重に耐える強度の確保と、乗員保護のための、室内からの衝撃荷重に対する脆弱性の確保とを両立させたカーテンエアバッグの展開ガイド部材を提供することができ、しかも少ない部品点数で簡単な構造により低廉な製造コストで提供することができる。
【図面の簡単な説明】
【００１３】
【図１】本発明の一実施形態係るジャンプ台（展開ガイド部材）を備えた、左座席側ピラートリムを車室側から見た斜視図である。
【図２】同ピラートリムを車外側から見た要部拡大斜視図である。
【図３】同ピラートリムをジャンプ台とピラートリム本体とに分解して、車外側から見た要部拡大斜視図である。
【図４】図２のIV−IV線に沿う断面図である。
【発明を実施するための形態】
【００１４】
以下、本発明の一実施形態を、図１〜図４を参照して説明する。
図１〜図４に示すピラートリム１は左座席側のものであって、図４に示すように、車両のピラーパネル２（車体パネル）の車室側に設けられている。ピラートリム１の上方のルーフライニング３の上方には、カーテンエアバッグ４が展開可能に設けられている。
【００１５】
図１〜図３に示すように、ピラートリム１は、ピラートリム本体１０と、このピラートリム本体１０の上端部に取り付けられ、膨張するカーテンエアバッグ４を車室に向けて案内するジャンプ台２０（展開ガイド部材）とを備えている。
【００１６】
ピラートリム本体１０は、例えばポリプロピレン等の樹脂を射出成形することによって構成されている。ピラートリム本体１０は、ピラーパネル２に沿って上下方向に延びており、横断面が車室側を凸とするコ字形状をなしている。
【００１７】
図３に示すように、ピラートリム本体１０の裏面（車外側の面）の上端部の両側部には、ジャンプ台２０を組み付けるための一対の台組付け部１２，１２が設けられている。台組付け部１２の上端部には、断面Ｌ字形の第１嵌合凸部１４が形成されている。台組付け部１２の中央部には、十字状の第２嵌合凸部１６が形成され、その下側には、円柱形の第３嵌合凸部１８が形成されている。第３嵌合凸部１８には、ねじ螺合穴１８ａが形成されている。
【００１８】
ジャンプ台２０は、この実施形態では、ピラートリム本体１０とは別体になっており、例えばポリプロピレン等の樹脂を射出成形することによって構成されている。ジャンプ台２０は、上側のエアバッグ支持部２０Ａと、下側の連結部２０Ｂとを一体に有している。
【００１９】
図３に示すようにこの実施形態では、エアバッグ支持部２０Ａは車長方向に並んで一対設けられており、これら一対のエアバッグ支持部２０Ａ，２０Ａは間隙Ｇを空けて離間している。
各エアバッグ支持部２０Ａは、天板部２１と、中間支持板部２２とを一体に有している。天板部２１は、その上端から車幅方向の車室側（図４において左側）へ向かって下方へ傾斜している。天板部２１の下端部に中間支持板部２２が連なり、下方に延びている。
【００２０】
天板部２１の下面（車外側を向く面）には、複数の補強リブ２３，２４，２５が設けられている。補強リブ２３，２４，２５は、それぞれ、上下に延び、天板部２１から中間支持板部２２に跨っている。この実施形態では、車長方向前側の天板部２１には、車長方向の両側縁に補強リブ２３，２５が設けられるとともに、車長方向の中間部に２つの補強リブ２４，２４が設けられている。車長方向後側の天板部２１には、車長方向の両側縁に補強リブ２３，２５が設けられるとともに、車長方向の中間部に１つの補強リブ２４が設けられている。
【００２１】
上記間隙Ｇに隣接する補強リブ２５，２５には、天板部２１の下端部から車幅方向の車外側に延びて下方に傾斜する傾斜板部２５ａと、傾斜板部２５ａの車外側の端部から垂下する垂下板部２５ｂとが設けられている。傾斜板部２５ａ及び垂下板部２５ｂの、車長方向における間隙Ｇとは反対側の端部には、平面板部２５ｃが設けられている。
【００２２】
連結部２０Ｂは、ジャンプ台２０をピラートリム本体１０及びピラーパネル２に連結するためのものであって、棚板部３１と主板部３２を有している。棚板部３１は上記中間支持板部２２の下端部から、車幅方向の車外側に略水平に延びている。主板部３２は、棚板部３１の車外側の縁から下方に略垂直に延びている。棚板部３１の上面には、上記中間支持板２２、補強リブ２３，２４及び平面板部２５ｃの各下端部が一体に連なっている。
【００２３】
主板部３２の車長方向中央部には、クリップ座４０（固定部）が設けられている。クリップ座４０は、図３に示すように、主板部３２から車幅方向の車外側に突出するとともに上下に延びている。クリップ座４０は、支持板部４１と、一対の側板部４２，４２とを一体に有しており、断面コ字状になっている。
【００２４】
一対の側板部４２，４２は、ジャンプ台２０の幅方向（車長方向に沿う方向）に離れて対峙するとともに主板部３２から車幅方向の車外側に突出している。各側板部４２は、比較的薄肉に形成され、断面が段差状に折り曲げられている。一対の側板部４２，４２の車外側の端部の間に上記支持板部４１が架け渡されている。
【００２５】
各側板部４２の上端部、車幅方向車室側には、間隙Ｇ側の補強リブ２５の下端部が連なっている。また、側板部４２と垂下板部２５ｂとを連ねる補強板部４２ａが板面を上下方向に向けて設けられている。
【００２６】
ジャンプ台２０と、ピラートリム本体１０との組み付け構造について説明する。
図３に示すように、ジャンプ台２０の棚板部３１には、Ｌ字形をなす第１嵌合穴３１ａが形成されており、車長方向前側の棚板部３１では補強リブ２４，２４の間に配置され、後側の棚板部３１では補強リブ２３，２４の間に配置されている。ジャンプ台２０の主板部３２には、クリップ座４０を挟んだ両側部に、四角形をなす第２嵌合穴３２ｂ及び円形をなす第３嵌合穴３２ｃが上下に離れて形成されている。
【００２７】
図２に示すように、ジャンプ台２０の棚板部３１及び主板部３２は、それぞれ、上記ピラートリム本体１０の台組付け部１２の上端部及び車外側面に被せられている。この状態で、ピラートリム本体１０の第１嵌合凸部１４、第２嵌合凸部１６及び第３嵌合凸部１８は、それぞれ、ジャンプ台２０の第１嵌合穴３１ａ、第２嵌合穴３２ｂ及び第３嵌合穴３２ｃに嵌め込まれている。第３嵌合凸部１８のねじ螺合穴１８ａには、雌ねじを形成しながらねじ込まれたタッピングスクリュー５０が取り付けられ、ジャンプ台２０はピラートリム本体１０に固定されている。このようにして、ピラートリム１が構成されている。
【００２８】
次に、ピラートリム１のピラーパネル２への取り付け構造について説明する。ピラートリム１のピラーパネル２への取り付けは、ジャンプ台２０がクリップ６０（係止部）によってピラーパネル２に固定されることによりなされる。
【００２９】
図３に示すように、ジャンプ台２０のクリップ座４０の支持板部４１には、クリップ装着孔４１ａが形成され、その上下に係合凸部４１ｂ及び荷重受部４１ｃがそれぞれ設けられている。係合凸部４１ｂは、Ｕ字状をなして車幅方向の車外側に突出している。荷重受部４１ｃは、支持板部３３の下端に配置され、車幅方向の車外側に突出して車長方向に延びている。
【００３０】
図２、図４に示すクリップ６０は、樹脂などの弾性材料からなり、装着部６１と係止部６２とを有している。装着部６１は、クリップ装着孔４１ａに保持されている。このとき、図４に示すように、係止部６２はクリップ座４０から車幅方向の車外側に突出している。
【００３１】
係止部６２がピラーパネル２のクリップ係止孔２ａに係止され、係合凸部４１ｂが、クリップ係止孔２ａの真上に形成された係合穴２ｂに挿入されることにより、ジャンプ台２０はピラーパネル２に取り付けられ、ひいてはピラートリム１がピラーパネル２に取り付けられている。
【００３２】
次に、カーテンエアバッグ４の展開について説明する。
図４に示すように、カーテンエアバッグ４は、ジャンプ台２０の天板部２１に載るようにして支持されている。車両衝突時にカーテンエアバッグ４内に膨張ガスが導入されると、カーテンエアバッグ４が、天板部２１に押し当たり車室側に案内され、ルーフライニング３を押し開けて、車室内にカーテン状に展開する。
【００３３】
カーテンエアバッグ４の展開時に、天板部２１には、カーテンエアバッグ４の展開荷重Ｆ１が掛かる。展開荷重Ｆ１は主として、天板部２１からクリップ座４０に向かう最短の荷重伝達経路上にある補強リブ２５，２５を経て、クリップ座４０のクリップ６０に伝達され、ピラーパネル２で受け止められる。
【００３４】
天板部２１の下面には、複数の補強リブ２３，２４，２５が設けられているので、天板部２１は、カーテンエアバッグ４の展開荷重Ｆ１に耐え得る強度を確保することができ、ひいてはジャンプ台２０はカーテンエアバッグ４の展開荷重Ｆ１に耐え得る強度を確保できる。
【００３５】
この展開時に、クリップ６０の上下にある係合凸部４１ｂ及び荷重受部４１ｃは、それぞれ、ピラーパネル２の係合穴２ｂ及びピラーパネル２に当接して、カーテンエアバッグ４からの荷重をピラーパネル２に受け渡している。
【００３６】
ジャンプ台２０には、カーテンエアバッグ４の展開荷重Ｆ１に耐える強度が要求されるとともに、カーテンエアバッグ４が展開しない軽度の車両衝突の際、乗員を保護するために、室内からの衝撃荷重Ｆ２に対する脆弱性も要求される。そのため、ジャンプ台２０には、脆弱性を確保するために、車幅方向車外側に溝７０が形成されている。
【００３７】
溝７０は、クリップ座４０の側板部４２と、その上方に連なる間隙Ｇ側の補強リブ２５との間に配置されている。溝７０は、車幅方向車外側から車室側に向かって凸となるＶ字形に切り欠かれている。溝７０は、補強板部４２ａの上方に位置しており、溝７０の最深部７１は、垂下板部２５ｂの車外側の面の近くまで達している。図４に示すように、最深部７１は、天板部２１におけるカーテンエアバッグ４の載置位置よりも車幅方向車外側に位置している。
【００３８】
カーテンエアバッグ４が展開しない軽度の車両衝突時に、乗員がピラートリム本体１０やルーフトリム３に打ちつけられた場合について説明する。
車室内からの衝撃荷重Ｆ２が、ピラートリム本体１０やルーフトリム３を介してジャンプ台２０にかかると、ジャンプ台２０は、Ｖ字形の溝７０をきっかけに、図４の矢印Ａで示すように溝７０が開くように上下に変形又は破損する。これにより、車室内からの荷重を緩和することができる。
【００３９】
溝７０は、天板部２１上のカーテンエアバッグ４より車幅方向車外側に形成されているため、ジャンプ台２０に要求されるカーテンエアバッグ４の展開荷重Ｆ１に耐え得る強度にはあまり影響を与えない。
したがって、この実施形態のジャンプ台２０では、カーテンエアバッグ４の展開荷重Ｆ１に耐える強度の確保と、乗員保護のための、室内からの衝撃荷重Ｆ２に対する脆弱性の確保とを両立させることができる。また、部品点数の多い従来の技術とは異なり、少ない部品点数で簡単な構造により低廉な製造コストでジャンプ台２０を提供することができる。
【００４０】
なお、本発明は、上記実施形態に限定されるものではなく、その要旨を逸脱しない範囲において各種の変形例を採用することができる。
上記実施形態では、ジャンプ台２０のエアバッグ支持部２０Ａを一対設けたが、１つでもよく、３つ以上でもよい。その場合、例えば、クリップ座４０の各側板部４２とその上方に配置された補強リブとの間に溝を形成すればよい。
溝７０はＶ字形状に限られずその他の形状であってもよい。
上記実施形態では、溝７０を間隙Ｇ側の補強リブ２５の下部に形成したが、その他の補強リブに形成してもよい。
クリップ座４０とクリップ６０を一体に設けてもよい。
上記実施形態では、係止部としてクリップ６０を用いてジャンプ台２０をピラーパネル２に係止させているが、係止部としてボルトとナット、係止爪等を用いてもよい。
ジャンプ台２０とピラートリム本体１０とを一体に設けてもよい。
【産業上の利用可能性】
【００４１】
本発明は、カーテンエアバッグの車室内への展開を補助するガイド部材に適用することができる。
【符号の説明】
【００４２】
２    ピラーパネル（車体パネル）
４    カーテンエアバッグ
２０  ジャンプ台（カーテンエアバッグの展開ガイド部材）
２１  天板部
２３，２４，２５  補強リブ
４０  クリップ座（固定部）
４１  支持板部
４２  側板部
６０  クリップ（係止部）
７０  溝
Ｇ    間隙
【図１】
2019123490.tif 000003
【図２】
2019123490.tif 000004
【図３】
2019123490.tif 000005
【図４】
2019123490.tif 000006